(57)【要約】【課題】設置を容易に行うことができるプロジェクターを提供すること。【解決手段】供給される電流により光を発する光源ランプ４１１と、当該光源ランプ４１１から射出された光を変調して画像光を形成する光変調装置４２と、当該画像光を投射する投射光学装置４３とを有する装置本体３を備えたプロジェクター１であって、少なくとも光源ランプ４１１が定常点灯状態となるまでの期間に、投射光学装置４３により投射される画像光の投射領域に応じた位置に、光を照射する光照射手段６を備える。これによれば、画像光の投射位置を容易に把握することができるので、画像光が投射される投射面に対するプロジェクター１の向き等を容易に設定することができる。【選択図】図２
2010160423.tif 000002
【特許請求の範囲】
【請求項１】
供給される電流により光を発する光源ランプと、当該光源ランプから射出された光を変調して画像光を形成する光変調装置と、前記画像光を投射する投射光学装置とを有する装置本体を備えたプロジェクターであって、
少なくとも前記光源ランプが定常点灯状態となるまでの期間に、前記投射光学装置により投射される前記画像光の投射領域に応じた位置に、光を照射する光照射手段を備えることを特徴とするプロジェクター。
【請求項２】
請求項１に記載のプロジェクターにおいて、
前記光照射手段を制御する制御手段を備え、
前記制御手段は、
前記光源ランプが定常点灯状態となったか否かを判定する判定部と、
前記判定部により、前記光源ランプが定常点灯状態となったと判定されると、前記光照射手段による光の照射を停止させる照射制御部と、
を備えることを特徴とするプロジェクター。
【請求項３】
請求項２に記載のプロジェクターにおいて、
前記光源ランプに供給される電流の電流値を検出する検出手段を備え、
前記判定部は、前記電流値に基づいて、前記光源ランプが定常点灯状態となったか否かを判定することを特徴とするプロジェクター。
【請求項４】
請求項１から請求項３のいずれかに記載のプロジェクターにおいて、
前記装置本体及び前記光照射手段を収納する筐体を備え、
前記筐体は、
前記投射光学装置が露出して、前記画像光が透過する第一の開口部と、
前記第一の開口部の上方に位置し、前記光照射手段による光が透過する第二の開口部と、
を有することを特徴とするプロジェクター。
【請求項５】
請求項１から請求項４のいずれかに記載のプロジェクターにおいて、
前記光照射手段は、当該プロジェクターに着脱自在に設けられたレーザーポインターを有することを特徴とするプロジェクター。
【請求項６】
請求項５に記載のプロジェクターにおいて、
前記光照射手段は、前記レーザーポインターから射出された光を、前記投射領域に応じた形状に変換して射出させる形状変換手段を有することを特徴とするプロジェクター。
【請求項７】
請求項５又は請求項６に記載のプロジェクターにおいて、
前記光照射手段は、前記レーザーポインターから射出された光を、前記投射領域の寸法に応じて拡大する拡大手段を有することを特徴とするプロジェクター。
【請求項８】
請求項５から請求項７のいずれかに記載のプロジェクターにおいて、
当該プロジェクターから前記投射領域までの距離を取得する取得手段と、
前記距離に基づいて、前記レーザーポインターから射出された光の角度を調整して、前記投射領域に応じた位置に照射させる角度調整手段と、
を備えることを特徴とするプロジェクター。
【請求項９】
請求項５から請求項８のいずれかに記載のプロジェクターにおいて、
前記レーザーポインターは、二次電池を有し、
当該プロジェクターは、前記レーザーポインターの前記二次電池を充電する充電手段を備えることを特徴とするプロジェクター。
【発明の詳細な説明】
【技術分野】
【０００１】
本発明は、プロジェクターに関する。
【背景技術】
【０００２】
従来、光源装置と、当該光源装置から射出された光を変調して、入力される画像情報に応じた画像光を形成する光変調装置と、当該画像光をスクリーン等に拡大投射する投射光学装置とを備えたプロジェクターが知られている。このようなプロジェクターは、比較的大きな画像を簡易に形成することができるので、例えば、プレゼンテーション及び会議の場で、広く利用されている。このようなプロジェクターとして、会議室等に常に設置されたプロジェクターの他、会議等の場に持ち運んで利用するプロジェクターが知られている（例えば、特許文献１参照）。この特許文献１に記載のプロジェクターでは、携帯性を考慮して、ハンドルが設けられている。
【０００３】
【特許文献１】特開２００４−２７２０９３号公報
【発明の開示】
【発明が解決しようとする課題】
【０００４】
ここで、プロジェクターに用いられる光源装置としては、超高圧水銀ランプ等の放電型の光源ランプと、当該光源ランプから射出された光を反射する反射鏡とを備えた構成が一般的である。しかしながら、このような光源ランプは、発光が安定する定常点灯状態（例えば、光源ランプを構成する一対の電極の先端間で、安定したアーク放電が行われる状態）に達するまでに時間がかかり、当該定常点灯状態に達するまでの発光輝度、ひいては、投射画像の輝度は低い。このため、前述の特許文献１に記載のプロジェクターのように、会議等の場に持ち運んでプロジェクターを利用する場合には、画像光の投射位置を把握しにくいため、投射面に対するプロジェクターの向き及び角度等を設定しにくく、プロジェクターの設置に時間がかかるという問題がある。
【０００５】
本発明の目的は、設置を容易に行うことができるプロジェクターを提供することである。
【課題を解決するための手段】
【０００６】
前記した目的を達成するために、本発明のプロジェクターは、供給される電流により光を発する光源ランプと、当該光源ランプから射出された光を変調して画像光を形成する光変調装置と、前記画像光を投射する投射光学装置とを有する装置本体を備えたプロジェクターであって、少なくとも前記光源ランプが定常点灯状態となるまでの期間に、前記投射光学装置により投射される前記画像光の投射領域に応じた位置に、光を照射する光照射手段を備えることを特徴とする。
【０００７】
本発明によれば、光照射手段により、少なくとも光源ランプが点灯開始から定常点灯状態となるまでの期間に、投射光学装置により投射される画像光の投射領域に応じた位置に光が照射される。これによれば、当該光源ランプが定常点灯状態となる前、すなわち、投射光学装置により投射される画像光の輝度が低い場合でも、当該画像光の投射位置を把握することができる。従って、当該画像光の投射領域を、スクリーン等の投射面における所望の位置に迅速に設定することができるので、プロジェクターの設置を容易に行うことができる。
【０００８】
本発明では、前記光照射手段を制御する制御手段を備え、前記制御手段は、前記光源ランプが定常点灯状態となったか否かを判定する判定部と、前記判定部により、前記光源ランプが定常点灯状態となったと判定されると、前記光照射手段による光の照射を停止させる照射制御部と、を備えることが好ましい。
本発明によれば、光源ランプが定常点灯状態に達した場合には、光照射手段による光の照射が停止される。これによれば、十分な輝度の画像光が投射されるようになった場合に、光照射手段により照射される光により、表示される画像が劣化することを防ぐことができる。従って、画像の表示を適切に行うことができる。
【０００９】
本発明では、前記光源ランプに供給される電流の電流値を検出する検出手段を備え、前記判定部は、前記電流値に基づいて、前記光源ランプが定常点灯状態となったか否かを判定することが好ましい。
【００１０】
ここで、光源ランプが定常点灯状態に達したか否かの判定は、供給される電流の電流値の推移に基づいて判定する方法のほか、光源ランプが定常点灯状態に達するのに要する時間と当該光源ランプの点灯開始時からの経過時間とを比較する方法が考えられる。
このうち、後者の場合、光源ランプの劣化に応じて定常点灯状態に達するまでの時間は長くなる傾向にあるため、当該光源ランプが定常点灯状態に達したか否かを正確に判定するには、定常点灯状態に達するまでに要する時間を、累積点灯時間を考慮し、光源ランプの劣化状態に応じて延長する必要があり、処理が複雑となる。
これに対し、前者の場合では、ランプ電流の電流値は、光源ランプの劣化に依らずに略同じ推移となるため、当該光源ランプの点灯状態を正確に判定することができる。
従って、本発明によれば、検出手段により検出された電流値に基づいて、判定部が光源ランプの点灯状態（定常点灯状態に達したか否か）を正確に判定することができるので、光照射手段による光の照射を適切なタイミングで停止することができる。
【００１１】
本発明では、前記装置本体及び前記光照射手段を収納する筐体を備え、前記筐体は、前記投射光学装置が露出して、前記画像光が透過する第一の開口部と、前記第一の開口部の上方に位置し、前記光照射手段による光が透過する第二の開口部と、を有することが好ましい。
本発明によれば、光照射手段により照射される光が透過する第二の開口部は、投射光学装置により投射される画像光が透過する第一の開口部の上方に位置している。これによれば、光照射手段により照射される光の位置を、画像光の投射領域における少なくとも左右にずれにくくすることができる。従って、画像光の投射位置と、光照射手段により照射される光の位置とをより適切に合わせることができるので、プロジェクターの設置を一層容易に行うことができる。
【００１２】
本発明では、前記光照射手段は、当該プロジェクターに着脱自在に設けられたレーザーポインターを有することが好ましい。
本発明によれば、レーザーポインターは、点灯開始時から発光輝度が高いので、光源ランプが定常点灯状態に達する前に、前述の光を確実に照射することができる。
また、光照射手段による光の照射が不要となった場合には、レーザーポインターを取り外して使用することができる。更に、光照射手段は、このようなレーザーポインターを光源として利用しているので、当該レーザーポインターの他に光源を別途設ける必要がなく、プロジェクターの部品点数の更なる増加を防ぐことができる。
【００１３】
本発明では、前記光照射手段は、前記レーザーポインターから射出された光を、前記投射領域に応じた形状に変換して射出させる形状変換手段を有することが好ましい。
本発明によれば、光照射手段により照射される光は、形状変換手段により、画像光の投射領域の形状に応じた形状の光束となるので、画像光の投射位置を一層容易かつ迅速に把握することができる。従って、プロジェクターの設置を一層容易に行うことができる。
【００１４】
本発明では、前記光照射手段は、前記レーザーポインターから射出された光を、前記投射領域の寸法に応じて拡大する拡大手段を有することが好ましい。
本発明によれば、光照射手段により照射される光は、拡大手段により、投射領域に応じた寸法を有する光束となるので、画像光の投射位置を一層容易かつ迅速に把握することができる。従って、プロジェクターの設置を一層容易に行うことができる。
【００１５】
本発明では、当該プロジェクターから前記投射領域までの距離を取得する取得手段と、前記距離に基づいて、前記レーザーポインターから射出された光の角度を調整して、前記投射領域に応じた位置に照射させる角度調整手段と、を備えることが好ましい。
本発明によれば、角度調整手段により、光照射手段により照射される光が画像光の投射位置に向かうように、当該光の光路を調整することができる。従って、画像光の投射領域内に、光を確実に照射することができるので、当該画像光の投射位置を正確に把握することができる。従って、プロジェクターの設置をより一層容易に行うことができる。
【００１６】
本発明では、前記レーザーポインターは、二次電池を有し、当該プロジェクターは、前記レーザーポインターの前記二次電池を充電する充電手段を備えることが好ましい。
本発明によれば、充電手段がレーザーポインターの二次電池を充電することにより、当該レーザーポインターが電池切れとなって使用できなくなる可能性を低減することができる。従って、プロジェクターの利便性を向上することができる。
【発明を実施するための最良の形態】
【００１７】
以下、本発明の一実施形態を図面に基づいて説明する。
〔プロジェクターの外観構成〕
図１は、本実施形態に係るプロジェクター１の外観を示す概要斜視図である。
プロジェクター１は、内部に収納された光源から射出された光を変調して、入力される画像情報に応じた画像光を形成し、当該画像光をスクリーン等の投射面上に拡大投射するものである。このプロジェクター１は、図１に示すように、筐体２と、当該筐体２内に収納される装置本体３（図１では図示省略）とを備えている。
【００１８】
筐体２は、全体略直方体形状を有する合成樹脂製の筐体である。この筐体２の底面には、設置面に接する複数の脚部２１が設けられている。
筐体２の正面には、略円形状の開口部２２と、当該開口部２２の上方に位置する略矩形状の開口部２３とが形成されている。これら開口部２２，２３は、それぞれ、本発明の第一の開口部及び第二の開口部に相当する。そして、開口部２２には、後述する画像表示手段４を構成する投射光学装置４３が露出し、当該画像表示手段４により形成された画像光は、開口部２２を透過して、投射面上に投射される。また、後述する光照射手段６により射出される光は、当該開口部２３を透過して、投射面上に照射される。
また、筐体２の正面には、後述する距離取得手段８により射出され、投射面にて反射した赤外線が透過する透過口２４が、開口部２２，２３近傍に形成されている。この透過口２４には、赤外線を透過し、可視光を透過しないフィルター２５が嵌合されている。
【００１９】
筐体２の天面には、投射光学装置４３による画像光の投射方向に沿って長手方向を有する平面視略十字状の凹部２６が形成されている。この凹部２６内には、当該長手方向に沿って、光照射手段６を構成するレーザーポインター６１が収納される。具体的に、このレーザーポインター６１は、投射光学装置４３による画像光の投射方向に沿い、かつ、光射出側を筐体２の正面側に向けるようにして凹部２６内に配置される。このレーザーポインター６１は、凹部２６における長手方向に対する直交方向に延出する部位に差し入れられた指で持ち上げることができ、これにより、凹部２６から取り外される。なお、筐体２は、合成樹脂製に限らず、金属製の筐体としてもよい。
【００２０】
〔プロジェクターの内部構成〕
図２は、プロジェクター１の内部構成を示すブロック図である。
前述の筐体２内には、図２に示すように、装置本体３が収納される。この装置本体３は、画像表示手段４、点灯手段５、光照射手段６、充電手段７、距離取得手段８及び制御手段９を備えている。この他、装置本体３は、詳しい図示を省略したが、筐体２内部の熱源に外部から導入した冷却空気を送風する冷却ファンを備えた冷却手段と、プロジェクター１の構成部品に駆動電力を供給する電源供給手段とを備えている。
【００２１】
このうち、充電手段７は、筐体２の凹部２６内に収納されたレーザーポインター６１に電力を供給し、当該レーザーポインター６１に内蔵された二次電池６１１を充電する。
距離取得手段８は、本発明の取得手段を構成し、プロジェクター１から投射面までの距離を測定する。この距離取得手段８は、本実施形態では、測距センサーで構成されている。具体的に、距離取得手段８は、前述のフィルター２５を介して赤外線を投射面に向けて射出し、当該赤外線の射出位置と、投射面により反射された赤外線の受光位置とのずれ量に基づいて、三角測量によりプロジェクター１から投射面までの距離を測定する。なお、距離取得手段８は、赤外線を用いた測距センサーに限らず、当該距離を測定可能であれば他の構成でもよい。
【００２２】
〔画像表示手段の構成〕
画像表示手段４は、後述する制御手段９から入力する駆動信号に応じて駆動して、プロジェクター１に入力される画像情報に応じた画像光を形成及び投射する。この画像表示手段４は、光源装置４１、光変調装置４２及び投射光学装置４３を備えている。
光源装置４１は、超高圧水銀ランプ等の放電型の光源ランプ４１１と、当該光源ランプ４１１から射出された光を反射する反射鏡（図示省略）とを備えている。このうち、光源ランプ４１１は、後述する点灯手段５から供給される電流により点灯する。
【００２３】
光変調装置４２は、光源装置４１から射出された光束を変調して画像光を形成する液晶パネルと、入力される駆動信号に応じて液晶パネルを駆動するドライバーとを備えて構成されている。なお、光変調装置は、液晶パネルを備える構成に限定されるものではなく、例えば、マイクロミラーを用いたデバイス等、液晶以外の構成を採用してもよい。
投射光学装置４３は、形成された画像光を投射面上に拡大投射するものであり、鏡筒と、当該鏡筒内に収納される複数のレンズとを備えた組レンズとして構成されている。
【００２４】
〔点灯手段の構成〕
点灯手段５は、制御手段９の制御下で、光源ランプ４１１に電流を供給し、当該光源ランプ４１１を点灯させるものである。この点灯手段５は、図示を省略するが、ダウンチョッパー、インバーターブリッジ及びイグナイター回路を備え、電源供給手段により供給される直流電流から交流矩形波電流を生成し、当該交流矩形波電流を光源ランプ４１１に供給する供給装置と、パルス信号の出力により供給装置の動作を制御して、光源ランプ４１１の点灯状態に応じた電流を供給させる制御装置とから構成されている。そして、点灯手段５は、これらにより構成される電流供給部５１及び電流値検出部５２を備えている。
電流供給部５１は、光源ランプ４１１に電流を供給する。
電流値検出部５２は、本発明の検出手段に相当し、電流供給部５１により光源ランプ４１１に供給される電流（ランプ電流）の電流値を検出する。
【００２５】
〔光照射手段の構成〕
図３は、光照射手段６の構成を示す模式図である。
光照射手段６は、点灯が開始された光源ランプ４１１が定常点灯状態に達するまでの間に、制御手段９による制御下で、画像表示手段４により画像光が投射される投射面上の領域（投射領域）を指し示すものである。この光照射手段６は、図２及び図３に示すように、レーザーポインター６１、形状変換手段としての回折格子６２と、拡大手段としての拡大レンズ６３と、角度調整部６４（図３では図示省略）とを備えている。
【００２６】
レーザーポインター６１は、前述のように、凹部２６内に着脱自在に設けられている。このレーザーポインター６１には、二次電池６１１が内蔵されており、当該レーザーポインター６１が凹部２６内に収納されると、前述の充電手段７による二次電池６１１の充電が開始される。
回折格子６２は、レーザーポインター６１の光束射出側に設けられ、当該レーザーポインター６１から射出された光を、図３に示すように、投射される画像光の形状、すなわち、当該画像光の投射領域の形状に応じて変換する。具体的に、回折格子６２は、前述の光変調装置４２の画像形成領域の形状に応じて、入射光を断面視略矩形状の光束に変換する。このため、光変調装置４２の画像形成領域のアスペクト比が１６：９である場合には、回折格子６２を透過した光のアスペクト比も１６：９となる。
【００２７】
拡大レンズ６３は、回折格子６２の光束射出側に配置され、当該回折格子６２を透過した断面視略矩形状の光束を、投射光学装置４３により投射面上に投射される画像光の寸法に応じて拡大する。この拡大レンズ６３は、レーザーポインター６１からの光の光軸に直交する方向に沿って回動自在に支持されている。
角度調整部６４は、本発明の角度調整手段を構成し、拡大レンズ６３の角度を変えることで、当該拡大レンズ６３を透過した光束を、投射光学装置４３による画像光の投射領域上に重畳させる。この角度調整部６４は、後述する制御手段９による制御下で駆動するモーターにより構成され、当該制御手段９から入力する制御信号に応じて、拡大レンズ６３の角度を調整する。これにより、光照射手段６による光束の照射領域と、画像光の投射領域とは略一致する。
【００２８】
〔制御手段の構成〕
制御手段９は、ＣＰＵ（Central Processing Unit）等が実装された回路基板として構成され、プロジェクター１全体を制御する。この制御手段９は、図２に示すように、光源駆動制御部９１、表示制御部９２、照射制御部９３及び記憶部９４を備えている。
このうち、記憶部９４は、ＲＯＭ（Read Only Memory）等の記録媒体、及び、ＲＡＭ（Random Access Memory）等の記憶媒体により構成され、制御手段９の動作に必要な各種プログラム及びデータを記憶している。このようなデータとして、記憶部９４は、例えば、距離取得手段８により測定される距離と、投射光学装置４３による画像光の投射領域に光照射手段６からの光束を重畳させる際の拡大レンズ６３の角度とが関連付けられたＬＵＴ（Look Up Table）を記憶している。また、記憶部９４は、電源キー（図示省略）が入力された際に実行される投射領域表示処理を行うための投射領域表示プログラムを記憶している。
【００２９】
光源駆動制御部９１は、点灯手段５の動作を制御し、ひいては、光源ランプ４１１の点灯を制御する。この光源駆動制御部９１は、例えば、電源キーが入力された際に、点灯手段５に制御信号を出力し、当該点灯手段５による光源装置４１の点灯を開始させる。
表示制御部９２は、プロジェクター１に接続された外部機器（図示省略）から入力される画像信号、及び、受信されたパケットを処理して、これら画像信号及びパケットに含まれる画像情報に応じた画像をＶＲＡＭ（Video RAM）（図示省略）上に描画し、当該画像に応じた駆動信号を光変調装置４２に出力する。これにより、当該画像に応じた画像光の形成が、光変調装置４２により行われる。
【００３０】
照射制御部９３は、光照射手段６の動作を制御する。具体的に、照射制御部９３は、光照射手段６のレーザーポインター６１の点灯及び消灯、並びに、角度調整部６４による拡大レンズ６３の角度調整を制御する。このような照射制御部９３は、判定部９３１、距離取得部９３２、角度制御部９３３及び照射制御部９３４を備えている。
判定部９３１は、点灯手段５の電流値検出部５２により検出される電流値の推移を監視し、光源ランプ４１１が定常点灯状態に達したか否かを判定する。
距離取得部９３２は、本発明の取得手段を構成し、距離取得手段８により測定されたプロジェクター１から投射面までの距離を取得する。
【００３１】
角度制御部９３３は、本発明の角度調整手段を構成し、記憶部９４に記憶されたＬＵＴを参照して、距離取得部９３２により取得された距離に応じた拡大レンズ６３の角度を取得する。そして、角度制御部９３３は、拡大レンズ６３の角度が、取得された角度となるように、角度調整部６４により当該拡大レンズ６３の角度を調整する。
照射制御部９３４は、レーザーポインター６１を点灯させるほか、判定部９３１により、光源ランプ４１１が定常点灯状態に達したと判定された際に、当該レーザーポインター６１を消灯させる。
【００３２】
〔投射領域表示処理〕
図４は、投射領域表示処理を示すフローチャートである。
以上の構成により、プロジェクター１は、電源キーが入力された際に、以下に示す画像光の投射領域表示処理を実行する。この投射領域表示処理は、記憶部９４に記憶された投射領域表示プログラムに沿って、制御手段９により実行される。
具体的に、投射領域表示処理では、図４に示すように、まず、光源駆動制御部９１が、点灯手段５の電流供給部５１による光源ランプ４１１への電流供給を開始させ、当該光源ランプ４１１を点灯させる（ステップＳ１）。この際、電流値検出部５２は、当該光源ランプ４１１に供給される電流の電流値検出を開始し、判定部９３１が当該電流値を監視する。また、表示制御部９２は、前述の画像信号の入力及びパケットの受信がなされている場合には、これらに含まれる画像情報に応じた画像の描画を開始する。
【００３３】
また、ステップＳ１とともに、距離取得手段８が、プロジェクター１から投射面までの距離を測定し、距離取得部９３２が、測定された距離を取得する（ステップＳ２）。
この後、角度制御部９３３が、記憶部９４に記憶されたＬＵＴを参照し、取得された距離に応じた拡大レンズ６３の角度を取得する。そして、当該角度に基づいて、角度調整部６４により、拡大レンズ６３の角度を調整する（ステップＳ３）。
【００３４】
そして、照射制御部９３４が、レーザーポインター６１を点灯させる。これにより、レーザーポインター６１から射出された光は、回折格子６２を介して断面略矩形状の光束に変換された後、拡大レンズ６３による光束の拡大、及び、光路の変換がなされることで、投射光学装置４３による画像光の投射領域に重畳され、当該投射領域の位置が、レーザーポインター６１の光により表示される（ステップＳ４）。
【００３５】
この後、判定部９３１が、電流値検出部５２により検出される電流値の推移に基づいて、光源ランプ４１１が定常点灯状態に達したか否かを判定する（ステップＳ５）。
ここで、光源ランプ４１１が定常点灯状態に達していないと判定されると、制御手段９は、ステップＳ５を繰り返し行い、定常点灯状態に達するまで、レーザーポインター６１の点灯を継続する。
【００３６】
一方、光源ランプ４１１が定常点灯状態に達したと判定されると、照射制御部９３４は、光源ランプ４１１の発光輝度が十分に高くなったと判断して、レーザーポインター６１を消灯させ、投射領域の位置表示を停止させる（ステップＳ６）。これにより、画像表示手段４により投射面上に表示される画像が劣化することを防いでいる。
以上により、投射領域表示処理が終了する。
なお、ステップＳ１での光源ランプ４１１の点灯後、判定部９３１によるステップＳ５での判定を先に一度行い、判定部９３１により、光源ランプ４１１が定常点灯状態に達していないと判定された後に、前述のステップＳ２〜Ｓ６を実行するようにしてもよい。
【００３７】
以上説明した本実施形態に係るプロジェクター１によれば、以下の効果がある。
光照射手段６により、少なくとも光源ランプ４１１が点灯開始時から定常点灯状態となるまでの間に、投射光学装置４３により投射される画像光の投射領域に応じた位置に光が照射される。これによれば、光源ランプ４１１が定常点灯状態に達する前、すなわち、投射面上に投射される画像光の輝度が低い場合でも、投射光学装置４３による画像光の投射位置を速やかに把握することができる。従って、画像光の投射領域を、投射面における所望の位置に迅速に設定することができるので、プロジェクター１の設置を容易に行うことができる。
【００３８】
判定部９３１により、光源ランプ４１１が定常点灯状態に達したと判定された場合には、照射制御部９３４により、レーザーポインター６１が消灯され、光照射手段６による光の照射が停止される。これによれば、光源ランプ４１１が定常点灯状態に達し、十分な輝度の画像光が投射光学装置４３により投射されるようになった場合に、光照射手段６により照射される光束により、表示される画像が劣化することを防ぐことができる。従って、画像の表示を適切に行うことができる。
【００３９】
電流値検出部５２により検出された電流値に基づいて、判定部９３１が光源ランプ４１１の点灯状態を判定する。これによれば、点灯開始時からの経過時間に基づいて光源ランプ４１１の点灯状態を判定する場合に比べ、経年変化等に左右されずに、当該光源ランプ４１１の点灯状態を正確に判定することができる。従って、適切なタイミングで、光照射手段６による光束の照射を停止することができる。
【００４０】
光照射手段６により照射される光が透過する開口部２３は、投射光学装置４３により投射される画像光が透過する開口部２２の上方に位置している。これによれば、プロジェクター１が所定の設置面上に載置された状態では、光照射手段６による光の照射位置を、画像光の投射領域に対する左右方向にずれにくくすることができる。従って、投射位置と、光の照射位置とをより適切に合わせることができ、プロジェクター１の設置を一層容易に行うことができる。
【００４１】
光照射手段６の光源は、凹部２６に着脱自在に設けられたレーザーポインター６１により構成されている。ここで、レーザーポインター６１は、点灯開始時から発光輝度が高いので、光源ランプ４１１が定常点灯状態となる前に、光照射手段６による光の射出を迅速かつ確実に行うことができる。
また、光照射手段６による光の照射が不要となった場合には、レーザーポインター６１を凹部２６から取り外して使用することができるので、プレゼンテーションや会議の幅を広げることができ、プロジェクター１の利便性を高めることができる。
更に、光照射手段６は、当該レーザーポインター６１を光源として用いているので、他の光源を別途設ける必要がなく、プロジェクター１の部品点数の更なる増加を防ぐことができる。
【００４２】
レーザーポインター６１から射出される光は、形状変換手段としての回折格子６２により、投射光学装置４３による画像光の投射領域に応じた形状に変換される。これによれば、投射面上に投射される画像光の投射位置を一層容易かつ迅速に把握することができる。従って、プロジェクター１の設置を一層容易に行うことができる。
【００４３】
回折格子６２により形状が変換された光束は、拡大手段としての拡大レンズ６３により、投射領域の寸法に応じた寸法に拡大される。これによれば、画像光の投射位置及び範囲を一層容易かつ迅速に把握することができる。従って、プロジェクター１の設置をより一層容易に行うことができる。
【００４４】
角度調整部６４及び角度制御部９３３による拡大レンズ６３の角度調整により、レーザーポインター６１により射出された光の光路は、投射領域に応じた位置に向かうように変更される。これによれば、画像光の投射位置と、光照射手段６による光束の照射位置とを略一致させることができる。従って、画像光の投射位置を正確に把握することができるので、プロジェクター１の設置をより一層容易に行うことができる。
【００４５】
充電手段７がレーザーポインター６１の二次電池６１１を充電することにより、当該レーザーポインター６１を凹部２６から取り外して利用する際に、当該レーザーポインター６１が電池切れとなって使用できなくなる可能性を低減することができる。従って、プロジェクター１の利便性を向上することができる。
【００４６】
〔実施形態の変形〕
本発明は前述の実施形態に限定されるものではなく、本発明の目的を達成できる範囲での変形、改良等は本発明に含まれるものである。
前記実施形態では、光照射手段６の光源として、凹部２６に着脱自在に設けられたレーザーポインター６１を採用したが、本発明はこれに限らない。すなわち、当該光源は、点灯開始時の発光輝度が光源ランプ４１１より高い他の光源であればよく、着脱自在でなくてもよい。このような光源として、ＬＥＤ（Light Emitting Diode）を例示することができる。
【００４７】
前記実施形態では、光源ランプ４１１が定常点灯状態に達したか否かを、当該光源ランプ４１１に供給される電流（ランプ電流）の電流値の推移に基づいて判定したが、本発明はこれに限らない。例えば、前述のように、光源ランプ４１１が定常点灯状態に達するまでに要する時間と、当該光源ランプ４１１の点灯開始時からの経過時間とを比較することにより、光源ランプ４１１が定常点灯状態に達したか否かを判定するようにしてもよく、他の指標により判定するようにしてもよい。
【００４８】
前記実施形態では、光照射手段６からの光束が透過する開口部２３は、画像表示手段４により形成された画像光が透過する開口部２２の上方に位置するとしたが、本発明はこれに限らない。例えば、当該開口部２２の側方であってもよい。すなわち、光照射手段６から射出された光を、画像光の投射位置に照射することが可能であれば、当該光が透過する開口部の位置は問わない。
【００４９】
前記実施形態では、投射光学装置４３により投射される画像光の形状に応じて、形状変換手段としての回折格子６２が、レーザーポインター６１から射出された光の形状を変換するとしたが、本発明はこれに限らず、任意の形状を採用してもよい。例えば、照射される光の形状は、矩形状の外縁のみであってもよい。また、当該光の形状は、円形であってもよく、更には、当該形状変換手段を介さず、レーザーポインター６１から射出されたままの大きさの点であってもよい。この場合には、光照射手段により照射された光が、画像光の投射領域の中心近傍に照射されれば、より好ましい。また、このような形状変換手段は、回折格子６２に限らず、他の構成により実現してもよい。
【００５０】
前記実施形態では、投射される画像光の寸法に応じて、拡大手段としての拡大レンズ６３が、レーザーポインター６１から射出された光を拡大するとしたが、本発明はこれに限らない。すなわち、画像光の投射領域内（特に、投射領域の中心）に認識可能な光を照射することが可能であれば、当該光を拡大しなくてもよい。また、回折格子６２等の形状変換手段が設けられていない場合には、形状が一致しなくても、画像光の投射領域に応じた寸法に、レーザーポインター６１から射出された光を拡大できればよい。
【００５１】
前記実施形態では、角度調整手段を構成する角度調整部６４及び角度制御部９３３が、拡大レンズ６３の角度を調整して、レーザーポインター６１から射出された光が画像光の投射領域内に照射されるように、当該光の光路を調整するとしたが、本発明はこれに限らない。すなわち、照射される光の位置が、画像光の投射領域の近傍であればよく、当該投射領域（特に投射領域の中心）に対して上下及び左右にずれていても、使用者が当該投射領域のおおよその位置を把握できればよい。また、このような角度調整手段はなくてもよく、更には、角度調整手段は、ミラー等の反射部材により、照射される光の光路を調整する構成であってもよい。
【００５２】
前記実施形態では、レーザーポインター６１は二次電池６１１を内蔵し、当該二次電池６１１は、レーザーポインター６１が凹部２６内に収納された際に、充電手段７により充電されるとしたが、本発明はこれに限らない。すなわち、前述のように、レーザーポインター６１は、着脱自在でなくてもよく、また、二次電池の代わりにアルカリ電池等の一次電池を採用してもよい。このような一次電池を採用する場合には、充電手段７を省略することができる。
【産業上の利用可能性】
【００５３】
本発明は、プロジェクターに利用でき、特に会議等の場に持ち運んで利用される携帯可能なプロジェクターに好適に利用することができる。
【図面の簡単な説明】
【００５４】
【図１】本発明の一実施形態に係るプロジェクターの外観を示す概要斜視図。
【図２】前記実施形態におけるプロジェクターの内部構成を示すブロック図。
【図３】前記実施形態における光射出手段の構成を示す模式図。
【図４】前記実施形態における投射領域表示処理を示すフローチャート。
【符号の説明】
【００５５】
１…プロジェクター、２…筐体、３…装置本体、６…光照射手段、７…充電手段、８…距離取得手段（取得手段）、９…制御手段、２２…開口部（第一の開口部）、２３…開口部（第二の開口部）、４２…光変調装置、４３…投射光学装置、５２…電流値検出部（検出手段）、６１…レーザーポインター、６２…回折格子（形状変換手段）、６３…拡大レンズ（拡大手段）、６４…角度調整部（角度調整手段）、４１１…光源ランプ、６１１…二次電池、９３１…判定部、９３２…距離取得部（取得手段）、９３３…角度制御部（角度調整手段）、９３４…照射制御部。
【図１】
2010160423.tif 000003
【図２】
2010160423.tif 000004
【図３】
2010160423.tif 000005
【図４】
2010160423.tif 000006